(57)【要約】【課題】本発明は、道路に設ける行先を分り良くした案内標識板に関するものである。【解決手段】本発明の実施の形態の第１例である案内標識板１は、目的地２と距離３を表示すると共に、目的地の方向４を塗潰すことにより直進、左折、右折等を表示することにより、形成されている。【効果】案内標識板を道路の交差点その他の主要箇所に設けることにより、市町村に限られず、名所や旧跡、または遊園地、運動施設、学校、公共施設等の人の集まりやすい場所が簡単容易に分かるので、目的地へ向かう人が目的地を捜す等の負担を軽減することができ、案内人なしで、快適に行動できるいう効果がある。【選択図】　　　　　図１
2004068568.tif 000002
【特許請求の範囲】
【請求項１】
目的地と距離を表示すると共に、
目的地の方向を塗潰すことにより直進、左折、右折等を表示した、
ことを特徴とする案内標識板。
【請求項２】
目的地の方向を塗潰す色を変えることで、
目的地との距離を一目で分るようにした、
ことを特徴とする請求項１記載の案内標識板。
【請求項３】
目的地の方向を塗潰す色は、
直近は赤、近くは黄色、近付いたときは青色等である、
ことを特徴とする請求項２記載の案内標識板。
【請求項４】
目的地は、市町村名は、勿論のこと、名所や旧跡、または遊園地、運動施設、学校、公共施設等の人の集まりやすい所である、
ことを特徴とする請求項１記載の案内標識板。
【請求項５】
距離は、目的地の方向を塗潰す色に対応させて、キロメータからメータ迄、きめ細かに表示する、
ことを特徴とする請求項１記載の案内標識板。
【発明の詳細な説明】
【０００１】
【発明の属する技術分野】
本発明は、道路に設ける行先を分り良くした案内標識板に関するものである。
【０００２】
【従来の技術】
従来、一般に、道路に設けられている案内標識板は、行先の表示のみであり、方向、距離（メータ）等の表示がなく、目的地の近くに近付いても迷い易いという問題点があった。
【０００３】
従来、案内標識板に表示されている方向案内は、遠方から見るとよく見え難く、よく見えず、近くまで行かないと、確認ができず、また殆どの目的地までの距離（メータ）等の表示がない為に、目的地に近付いても迷い易いという問題点があった。
【０００４】
【発明が解決しようとする課題】
このような従来技術の問題点に鑑み、本発明の主な目的は、
遠方からよく見え、確認し易く、また迷うことなく目的地に行くことの出来るようにして、従来の不具合の解消を図り、機能を飛躍的に向上した案内標識板を提供することにある。
【０００５】
【課題を解決するための手段】
このような目的は、本発明によれば、
目的地と距離を表示すると共に、
目的地の方向を塗潰すことにより直進、左折、右折等を表示した、
ことを特徴とする案内標識板、
を提供することにより達成される。
【０００６】
【作用】
本発明の案内標識板によれば、
（１）目的地が一目で分かり、目的地に迷うことなく、簡単に到着できる。
（２）目的地の方向が、一目で分かるので、迷うことなく、容易に近付くことができる。
（３）目的地や方向が、遠方からも見え易く、確認がし易いので、簡単に目的地に到着できる。
（４）目的地までの距離も、一目で分かるので、容易に目的地に行くことができる。
（５）目的地と、方向と、距離とが、一目で分かるので、確認し易く、簡単に目的地に到着できる。
（６）目的地が一目で分かり、確認し易く、簡単に目的地に容易に目的地に行くことができる為、交通渋滞や交通事故を可及的に回避し、交通安全に寄与せしめ、円滑な走行を確保することができる。
（７）さらに、これらにより、従来の不具合の解消を図ることで、機能を飛躍的に向上させることができる。
【０００７】
【発明の実施の形態】
以下に添付の図面を参照して、本発明を特定の実施の形態について詳述する。
【０００８】
図１〜図５は、本発明の実施の形態の第１例を示している。
【０００９】
本発明の実施の形態の第１例である案内標識板１は、
目的地２と距離３を表示すると共に、
目的地の方向４を塗潰すことにより直進、左折、右折等を表示することにより、形成されている。
【００１０】
該目的地の方向４は、塗潰す位置により、直進、左折、右折等を表示することができる。
【００１１】
例えば、図１に良く示されているように、上端を全て塗潰すことにより、直進方向を示すことができる。
【００１２】
また、図２に良く示されているように、左の矩形隅部の全て塗潰すことにより、左折方向を示すことができる。
【００１３】
さらに、図３に良く示されているように、右の矩形隅部の全て塗潰すことにより、右折方向を示すことができる。
【００１４】
また、図４に良く示されているように、左の三角隅部の全て塗潰すことにより、斜め左折方向を示すことができる。
【００１５】
さらに、図５に良く示されているように、右の三角隅部の全て塗潰すことにより、斜め右折方向を示すことができる。
【００１６】
一方、図１〜図５に良く示されているように、目的地名を表示することにより、目的地２を一目で分かるようにすることができる。
【００１７】
該目的地２は、図１〜図５に良く示されているように、市町村名は、勿論のこと、名所や旧跡、または遊園地、運動施設、学校、公共施設等の人の集まりやすい所を縦書きにより表示することにより、目的地へ向かう人が目的地を捜す等の負担を軽減することができる。
【００１８】
また、距離３は、図１〜図５に良く示されているように、目的地名の下や横等の近くにキロメートルからメートル迄、数字で表示することにより、目的地２と一体に把握できる為、目的地２へ向かう人が目的地２に達する負担を軽減することができる。
【００１９】
さらに、この距離３は、上記のように数字で表示する他、目的地の方向を塗潰す色によって表示することができる。
【００２０】
例えば、直近（１００メートル以内）は赤色、近く（５００メートル以内）は黄色、近付いたとき（１キロメートル以内）は青色等である、
これによって、一目で目的地までの距離を把握することができる。
【００２１】
さらに、この距離３は、上記のように目的地の方向を塗潰す色によって表示する他、目的地の方向を塗潰す色に対応させて、キロメートルからメートル迄、きめ細かに表示することで、目的地２までの距離を正確に把握することができる。
【００２２】
このように目的地２と距離３を表示すると共に、目的地２の方向４を塗潰すことにより簡単容易に表示するように形成されている案内標識板１は、図１〜図５に良く示されているように、略矩形板により縦方向に表示する他、図６〜図１０に良く示されているように、略矩形板により横方向に表示することも出来る。
【００２３】
例えば、目的地２は、図６〜図１０に良く示されているように、市町村名や名所や旧跡、または遊園地、運動施設、学校、公共施設等の人の集まりやすい所を横書きにより表示することができる。
【００２４】
また、距離３は、図６〜図１０に良く示されているように、目的地の下や横等の近くにキロメートルからメートル迄、数字で表示することにより、目的地と一体に把握できる為、目的地に達する負担を軽減することができ、さらに、この距離３を目的地の方向を塗潰す色（赤色、黄色、青色等）によって表示することができる。
【００２５】
さらに、上記目的地の方向４は、図６〜図１０に良く示されているように、塗潰す位置により、直進、左折、右折、斜め左折、斜め右折等を表示することができる。
【００２６】
尚、本発明の案内標識板１は、上記実施例の構成に限られることなく、上記実施例の構成に追加することや、他の構成部材で置換することができるのは勿論である。
【００２７】
例えば、案内標識板１は、図１〜図１０に良く示されている矩形形状に限られることなく、楕円形や長円形や多角形状、その他の形状とすることができるのは勿論である。
【００２８】
また、目的地２は、図１〜図１０に良く示されている明朝体での表示に限られることなく、明朝体以外の活字体や独自の書体で表示することができるのは勿論である。
【００２９】
さらに、距離３は、図１〜図１０に良く示されているように、キロメートルからメートル迄、数字で表示することや、目的地の方向を塗潰す色によって表示する方法に限られることなく、塗潰す色の長さや目盛り、スケールその他で表示することができるのは勿論である。
【００３０】
また、目的地の方向４は、図１〜図１０に良く示されている塗潰すことに限られることなく、楕円形や長円形や多角形状、その他の形状に塗潰すことによって表示することができるのは勿論である。
【００３１】
次に、本発明の作用を上記実施の形態の第１例の方向表示付き案内標識板１によって詳述する。
【００３２】
本発明の方向表示付き案内標識板１にあっては、
目的地２と距離３を表示すると共に、目的地の方向４を塗潰すことにより直進、左折、右折等を表示することにより、形成されているので、
（１）目的地が一目で分かり、目的地に迷うことなく、簡単に到着できる。
（２）目的地の方向が、一目で分かるので、迷うことなく、容易に近付くことができる。
（３）目的地や方向が、遠方からも見え易く、確認がし易いので、簡単に目的地に到着できる。
（４）目的地までの距離も、一目で分かるので、容易に目的地に行くことができる。
（５）目的地と、方向と、距離とが、一目で分かるので、確認し易く、簡単に目的地に到着できる。
（６）目的地が一目で分かり、確認し易く、簡単に目的地に容易に目的地に行くことができる為、交通渋滞や交通事故を可及的に回避し、交通安全に寄与せしめ、円滑な走行を確保することができる。
（７）さらに、これらにより、従来の不具合の解消を図ることで、機能を飛躍的に向上させることができる。
【００３３】
【発明の効果】
この案内標識板を道路の交差点その他の主要箇所に設けることにより、
市町村に限られず、名所や旧跡、または遊園地、運動施設、学校、公共施設等の人の集まりやすい場所が簡単容易に分かるので、目的地へ向かう人が目的地を捜す等の負担を軽減することができ、案内人なしで、快適に行動できるいう利点がある。
【００３４】
すなわち、本発明によれば、
（１）目的地が一目で分かり、目的地に迷うことなく、簡単に到着できるという効果がある。
（２）目的地の方向が、一目で分かるので、迷うことなく、容易に近付くことができるという効果がある。
（３）目的地や方向が、遠方からも見え易く、確認がし易いので、簡単に目的地に到着できるという効果がある。
（４）目的地までの距離も、一目で分かるので、容易に目的地に行くことができるという効果がある。
（５）目的地と、方向と、距離とが、一目で分かるので、確認し易く、簡単に目的地に到着できるという効果がある。
（６）目的地が一目で分かり、確認し易く、簡単に目的地に容易に目的地に行くことができる為、交通渋滞や交通事故を可及的に回避し、交通安全に寄与せしめ、円滑な走行を確保することができるという効果がある。
（７）さらに、これらにより、従来の不具合の解消を図ることで、機能を飛躍的に向上させることができるという大なる効果がある。
【図面の簡単な説明】
【図１】本発明の実施の形態の第１例の直進を示す正面図である。
【図２】同左折を示す正面図である。
【図３】同右折を示す正面図である。
【図４】同斜め左折を示す正面図である。
【図５】同斜め右折を示す正面図である。
【図６】本発明の実施の形態の第２例の直進を示す正面図である。
【図７】同左折を示す正面図である。
【図８】同右折を示す正面図である。
【図９】同斜め左折を示す正面図である。
【図１０】同斜め右折を示す正面図である。
【符号の説明】
１　　　案内標識板
２　　　目的地
３　　　距離
４　　　目的地の方向
【図１】
2004068568.tif 000003
【図２】
2004068568.tif 000004
【図３】
2004068568.tif 000005
【図４】
2004068568.tif 000006
【図５】
2004068568.tif 000007
【図６】
2004068568.tif 000008
【図７】
2004068568.tif 000009
【図８】
2004068568.tif 000010
【図９】
2004068568.tif 000011
【図１０】
2004068568.tif 000012